Podtech/llm-jp-corpus-v4-ja_patent huggingface dataset:
(57)【要約】【課題】一般空間の４次元測量とその地図作成ソフトウェアを作る。【解決手段】一般空間の３次元はＧＰＳと空中アドバルーンの利用で測量し４次元部分の時間は原子時計でその空間の上下左右等で計りこれらの数値をもとにコンピューターを用いて処理して一般空間の時空地図作成ソフトウェアを作ることを可能とする。【特許請求の範囲】
【請求項１】
（イ）ＧＰＳを利用して一般空間の２次元と空中アドバルーンでの三角測量でそのはかりたい一般空間の３次元を測量する。
（ロ）４次元部分の時間は原子時計でその空間の上下左右等を計る。
（ハ）これらの数値をもとにコンピューターを用いて処理して一般４次元空間の時空地図を作る。
以上の如く論理で導かれる一般相対性理論を利用した一般空間の４次元測量機器とその時空地図作成ソフトウェア。
【発明の詳細な説明】
【技術分野】
【０００１】  本発明は、一般空間の４次元測量とその地図作成に関する。
【背景技術】
【０００２】  従来、一般空間の４次元測量とその地図作成ソフトはなく３次元までが限界だった。
【発明の開示】
【発明が解決しようとする課題】
【０００３】  従来、測量と地図作成は３次元までが限界であったが一般空間の４次元測量とその地図作成を試みる。
【課題を解決するための手段】
【０００４】  一般空間の３次元はＧＰＳと空中アドバルーンの利用で測量する。４次元部分の時間は原子時計でその空間の上下左右等で計る。
【発明の効果】
【０００５】  一般空間の４次元測量とその４次元時空地図の作成が可能となる。
【発明を実施するための最良の形態】
【０００６】    以下、本発明の実施例について時系列的論理的に文章で説明する。ＧＰＳを利用して一般空間の２次元と空中アドバルーンでの三角測量でそのはかりたい一般空間の３次元を測量する。４次元部分の時間は原子時計でその空間の上下左右等を計る。これらの数値をもとにコンピューターを用いて処理して一般４次元空間の時空地図を作る。以上の如く論理で導かれる一般相対性理論を利用した一般空間の４次元測量機器とその時空地図作成ソフトウェア。
【実施例】
【０００７】    上記の如く実施される。
【産業上の利用可能性】
【０００８】    ３次元の測量とその地図が限界だったものを４次元の一般空間の測量とその時空地図により産業上の利用可能性は高いと解される。
(57)【要約】【課題】通常、術者は治療椅子の後方に座り、患者の背後から歯科治療を行うが、その際、ワークテーブルが患者の胸部上方まで移動すれば、ワークテーブルに載せた機材を取ったり、戻したりする作業が楽になり、歯科治療が非常にしやすくなる。【解決手段】歯科治療椅子１を倒（寝）状態にし、患者の後側（背後）から歯科治療を行うに当り、ワークテーブル本体２1上に設けられたトレー２2を横方向（矢印Ａ方向）にスライドさせて該トレーを患者の胸部上方に配置させることができる。これによって、トレー２2上に載置した歯科治療用機材を取ったり、戻したりする作業が楽になり、歯科治療作業が非常にやりやすくなる。また、ワークテーブル本体２1上には、歯科治療用機材を収納しておくための凹部２ａ，２ｂ等が設けられているので、通常、トレー２2の上は何も置かれておらず、清掃が楽で、清潔な状態に保つことができる。【選択図】図１
2006325620.tif 000002
【特許請求の範囲】
【請求項１】
移動自在なワークテーブルを有し、該ワークテーブルがワークテーブル本体と該ワークテーブル本体の上部に横方向に摺動可能に設けられたトレーとからなることを特徴とする歯科治療ユニット。
【請求項２】
前記ワークテーブル本体の上表面に歯科治療に用いる機材を収納する凹部を有することを特徴とする請求項１に記載の歯科治療ユニット。
【発明の詳細な説明】
【技術分野】
【０００１】
本発明は、歯科治療ユニット、より詳細には、ワークテーブルがワークテーブル本体と該ワークテーブル本体の上部に横方向にスライド可能なトレーとから成り、歯科治療に当って、該トレーを患者の胸部上方に位置させることができるようにした歯科治療ユニットに関する。
【背景技術】
【０００２】
図４は、本発明が適用される歯科治療ユニットの一例を説明するための全体構成図で、該歯科治療ユニットは、歯科治療椅子１、ワークテーブル２、該ワークテーブル２を移動時に支持するアーム３、スピットン４、無影灯５、インスツルメントホルダー６、インスツルメント７、フットスイッチ８、等からなり、インスツルメントホルダー６には、歯科治療において使用する種々のインスツルメント７が収納されており、周知のように、歯科治療に当り、患者は椅子１に座り、頭を安頭台に固定して治療を受ける。ワークテーブル２の上には、歯科治療に必要な種々の機材（例えば、ピンセット，鋏，ガーゼ，脱脂綿，更には、薬剤等）が載置されており、治療に当り、術者は治療椅子１を上下動、倒起動、傾斜動等させて、患者を治療しやすい姿勢にし、更にはワークテーブル２を患者の近くに寄せて治療しやすい状態にして、歯科治療を行う。
【発明の開示】
【発明が解決しようとする課題】
【０００３】
上述のごとき歯科治療ユニットにより治療を行う場合、通常、術者は治療椅子１の後方に座り、患者の背後から歯科治療を行うが、その際、ワークテーブル２が患者の胸部上方まで移動すれば、ワークテーブル上の機材の取り戻しが楽になり、歯科治療が非常にしやすくなるが、従来、そのようなワークテーブルを備えた歯科治療ユニットは提供されていなかった。
【課題を解決するための手段】
【０００４】
本発明は、移動自在なワークテーブルを有し、該ワークテーブルがワークテーブル本体と該ワークテーブル本体の上部に横方向に摺動可能に設けられたトレーとからなることを特徴としたものである。
【０００５】
更には、前記ワークテーブル本体の上表面に歯科治療に用いる機材を収納する凹部を有することを特徴としたものである。
【発明の効果】
【０００６】
歯科治療椅子を倒（寝）状態にし、患者の後側（背後）から歯科治療を行うに当り、ワークテーブル本体上に設けられたトレーをスライドさせて該トレーを患者の胸部上方に配置させることができるので、歯科治療中、該トレー上に歯科治療用機材を置くことができ、歯科治療作業が非常にやりやすくなる。
【０００７】
更には、前記ワークテーブル本体の上表面に凹部を有し、該凹部内に歯科治療に用いる機材を収納するようにしたので、通常、トレーの上には何も載せないので、清掃が楽であり、トレー上を清潔に保つことができる。
【発明を実施するための最良の形態】
【０００８】
図１は、本発明による歯科治療ユニットの一使用状態を示す全体構成図で、本発明において、ワークテーブル２は、ワークテーブル本体２1と該ワークテーブル２1上の横方向（矢印Ａ方向）にスライドするトレー２2とからなり、術者が治療椅子１の後部に座り、患者の背後から歯科治療を行うに当り、図示のように、ワークテーブル本体２1からトレー２2を患者の胸部上方に引き出し（スライドさせ）て、歯科治療を行う。このようにすると、トレー２2の上に歯科治療に必要な機材を載せておくことができ、歯科治療中、これら機材を容易に使用することができ、歯科治療が非常にしやすくなる。
【０００９】
図２は、本発明によるワークテーブル２を上方より見た平面図で、図中、２1はワークテーブル本体、２2はトレーで、該トレー２2は、ワークテーブル本体２1の上部に横方向にスライド可能に設けられている。図２（Ａ）は、トレー２2がワークテーブル２1上に配置され、従来より周知の通常のワークテーブルと同様にして、使用する時の状態を示す図、図２（Ｂ）は患者の背後から歯科治療を行うような場合に、前述のように、トレー２2を患者の胸部上方に引き出して使用する時の状態を示す図である。
【００１０】
また、ワークテーブル２1の上面には、凹部２ａ、２ｂ等からなる収納スペースが設けられており、該収納スペースに、例えば、通常、歯科治療に使用する物を収納しておくことができ、トレー２2（ワークテーブル２）上には何も置かない状態にすることができ、ワークテーブル面を清潔に保つことができる。
【００１１】
図３は、図２（Ｂ）をIII−III線にて切断した時の断面構成を拡大して示す図で、トレー２２はワークテーブル本体２１上を紙面に対して垂直方向（図１のＡ方向）に移動することができ、移動したときに（引き出した時に）、それ以上引き出すことができないようにストッパ等が設けられており、このストッパに当るまで引き出せるようになっている。ストッパの具体的な構造は、例えば、通常の事務机等における引き出しが、そのままの状態では引き抜くことができず、引き抜くときは、少し持ち上げる等して引き抜くよう構成されているのと同様の構造にする等、周知の任意所望の構造とすることができる。
【図面の簡単な説明】
【００１２】
【図１】本発明による歯科治療ユニットの一使用状態を示す全体構成図である。
【図２】本発明によるワークテーブルを上方より見た平面図である。
【図３】図２（Ａ）をIII−III線にて切断した時の断面構成を拡大して示す図である。
【図４】本発明が適用される歯科治療ユニットの一例を説明するための全体構成図である。
【符号の説明】
【００１３】
１…歯科治療椅子、２…ワークテーブル、２1…ワークテーブル本体、２2…トレー、２ａ，２ｂ…収納スペース、３…ワークテーブル支持アーム、４…スピットン、５…無影灯、６…インスツルメントホルダー、７…インスツルメント、８…フットスイッチ。
【図１】
2006325620.tif 000003
【図２】
2006325620.tif 000004
【図３】
2006325620.tif 000005
【図４】
2006325620.tif 000006
(57)【要約】【課題】  一定電圧一定周波数を負荷に供給するインバータ装置には、制御ゲインを上げたり、一次遅れフィルタの時定数を短くすると出力電圧が変動し難いが、入力電圧が振動しやすく、制御ゲインを下げたり、一次遅れフィルタの時定数を長くすると入力電圧は振動し難い。ただし、負荷が誘導電動機の場合は制御ゲインを下げたり、一次遅れフィルタの時定数を長くしても無効電流が振動し、入力電圧が振動するという欠点があった。【解決手段】  本発明は以上の点を解決する為、インバータ装置の出力電流の無効電流を検出して前記無効電流と無効電流に一次遅れフィルタを通した値との差に比例ゲインを乗算した値を電圧指令の周波数に加算する。【選択図】  図１
2006325326.tif 000002
【特許請求の範囲】
【請求項１】
直流フィルタ回路を介して直流電圧を入力し、交流フィルタ回路を介して交流電圧を出力するインバータ装置と、交流電圧の指令値と検出値の誤差に制御ゲインを乗算して電圧補正値を出力する誤差増幅器と、前記電圧補正値を前記交流電圧の指令値に加算して補正電圧指令を出力する電圧指令演算器と、前記補正電圧指令を直流電圧の検出値に一次遅れフィルタを通した値で除算して変圧率を演算する変圧率演算器を備えたインバータ装置において、前記インバータ装置の出力電流の無効電流を検出して前記無効電流と無効電流に一次遅れフィルタを通した値との差に比例ゲインを乗算した値を電圧指令の周波数に加算することを特徴とするインバータ装置。
【発明の詳細な説明】
【技術分野】
【０００１】
本発明は一定電圧一定周波数を負荷に供給するインバータ装置に関するものである。
【背景技術】
【０００２】
図１は一定電圧一定周波数を負荷に供給するインバータ装置のツナギ図である。
直流フィルタ２を介して直流電源１より直流電圧を入力し、交流フィルタ４を介して交流電圧を負荷５に出力するインバータ装置３により構成される。
【０００３】
交流電圧の指令値と検出値の誤差に制御ゲインを乗算して電圧補正値を出力する誤差増幅器と、前記電圧補正値を前記交流電圧の指令値に加算して補正電圧指令を出力する電圧指令演算器と、前記補正電圧指令を直流電圧の検出値に一次遅れフィルタを通した値で除算して変圧率を演算する変圧率演算器を備えている（例えば、特許文献１参照。）。
【０００４】
【特許文献１】公開特許公報  特開平０９−００９６４２
【発明の開示】
【発明が解決しようとする課題】
【０００５】
以上のようなインバータ装置には、制御ゲインを上げたり、一次遅れフィルタの時定数を短くすると出力電圧が変動し難いが、入力電圧が振動しやすく、制御ゲインを下げたり、一次遅れフィルタの時定数を長くすると入力電圧は振動し難い。ただし、負荷が誘導電動機の場合は制御ゲインを下げたり、一次遅れフィルタの時定数を長くしても無効電流が振動するため、入力電圧は振動してしまう。
【課題を解決するための手段】
【０００６】
本発明は以上の点を解決する為、インバータ装置の出力電流の無効電流を検出して前記無効電流と無効電流に一次遅れフィルタを通した値との差に比例ゲインを乗算した値を電圧指令の周波数に加算する。
【発明の効果】
【０００７】
本発明には次のような効果がある。
１．出力電圧の周波数は過渡的に変動するが、電圧の大きさを変えない。
２．誘導電動機の無効電流が振動することによる入力電圧の振動を抑えることができる。
【発明を実施するための最良の形態】
【０００８】
インバータ装置の出力電流の無効電流を検出して前記無効電流と無効電流に一次遅れフィルタを通した値との差に比例ゲインを乗算した値を電圧指令の周波数に加算することにより、出力電圧の周波数は過渡的に変動するが、電圧の大きさを変えずに、誘導電動機の無効電流が振動することによる入力電圧の振動を抑えることができる。
【実施例１】
【０００９】
図１のインバータ装置に本発明を適用する。
主回路は図１のように、直流フィルタ２を介して直流電源１より直流電圧を入力し、交流フィルタ４を介して交流電圧を負荷５に出力するインバータ装置３により構成される。
【００１０】
制御方法は、交流電圧の指令値と検出値の誤差に制御ゲインを乗算して電圧補正値を出力する誤差増幅器と、前記電圧補正値を前記交流電圧の指令値に加算して補正電圧指令を出力する電圧指令演算器を備え、インバータ装置の出力電流の無効電流を検出して前記無効電流と無効電流に一次遅れフィルタを通した値との差に比例ゲインを乗算した値を前記電圧指令の周波数に加算する。
【産業上の利用可能性】
【００１１】
本発明は一定電圧一定周波数を負荷に供給するインバータ装置に関するものであり、出力電圧の周波数は過渡的に変動するが、電圧の大きさを変えずに、負荷の一部が誘導電動機である場合に発生し易い入力電圧の振動を抑えることができる。
【図面の簡単な説明】
【００１２】
【図１】一定電圧一定周波数を負荷に供給するインバータ装置のツナギ図
【符号の説明】
【００１３】
１              直流電源
２              直流フィルタ
３              インバータ装置
４              交流フィルタ
５              負荷
【図１】
2006325326.tif 000003
(57)【要約】【課題】ハンドル、ピストン、バネ、刃が一体化して楽々仕事が出来るようにした器具を提供する。【解決の手段】活魚ふぐを楽に締めるために、ハンドルの先にバネをつけ、ハンドルの中間にピストンをつけ、そのピストンの下には刃物をつけこれが活魚ふぐをしめる特徴とする器具。【選択図】図１
2006325573.tif 000002
【特許請求の範囲】
まな板を乗せるための台座と、上下に回動可能なハンドルを上部に軸支した支持脚と、垂直方面に上下運動できるようにガイドによって係止され、下部に垂下されてた刃物を備えた、前記ハンドルに軸支されたピストンとからなり、前記ハンドル先端部が上方に傾斜した状態で保持されるように、ハンドル下端部は弾性部材を介して前記支持脚に固定されていることを特徴とする活魚ふぐをしめる器具。
【発明の詳細な説明】
【技術分野】
【０００１】本発明は、活魚やふぐをたくさん又は早く出来るようにするため、活魚ふぐをしめる器具に関するものである。
【背景技術】
【０００２】従来、出刃包丁又は、包丁でしめた所にうまく関節に、はいればいいが、はづれた時は大変かたくて、力もいるし、切ったあとの切目がきたないかった。
【発明の開示】
【発明が解決しようとする課題】
【０００３】そのために、次のような問題点があった。
（イ）たくさんのふぐを出刃包丁ですると手がだるくて、仕事がはかどらなかった。
（ロ）特に、活ふぐは、しめた切り口が大きくなったり、いがんだりして切り口がきたないしやがりになり、あとで、みがく時に、大変こまった。
【課題を解決するための手段】
【０００４】まな板を乗せるための台座と  、上下に回動可熊なハンドルを上部に軸支した支持脚と、垂直方向に上下運動できるようにガイドによって係止され、下部に垂下された刃物を備えた、前記ハンドルに軸支されたピストンとからなり、前記ハンドル先端部が上方に傾斜した状態で保持されるように、ハンドル下端部は弾性部材を介して前記支持脚に固定されていることを特徴とする活魚ふぐをしめる器具である。
【発明の効果】
【０００５】この器具を使えば、活魚ふぐも切り口が小さくてきれいに仕上り、女性の方も楽々できる器具である。
【発明を実施するための最良の形態】
【０００６】以下、本発明の実施の形態について説明する。
（イ）まな板を設置するための台座（１１）に支持脚（１）を立設する。支持脚（１）の上部には先端にグリップを有するハンドルを（６）軸支する。
（ロ）ハンドル（６）が、もとの位置に戻るようにバネ（４）を介して支持脚（１）に固定する。ハンドル（６）にピストン（２）を軸支し垂直方向に上下運動できるようにガイド（１０）を支持脚（１）に設ける。使わないときは，ハンドル（６）を下げて、動かないように、安全ピン（９）を、差すようにした。
（ハ）ピストン（２）の下に、刃物（３）をつける。刃が切れなくなったら刃を取り出して、研ぐことも出来る。使わないときは刃の所にカバ−をつけるようにしてある。
（ニ）刃物（３）はハンドル（６）とピストン（２）が下がって活魚ふぐをしめることができる。
【図面の簡単な説明】
【０００７】
【図１】  本発明の全体斜視図
【図２】  本発明の側面図
【符号の説明】
【０００８】  １    支持脚
２    ピストン
３    刃物
４    バネ
５    まな板
６    ハンドル
７    グリップ
８    刃物止めネジ
９    安全ピン
１０  ガイド
１１  台座
【図１】
2006325573.tif 000003
【図２】
2006325573.tif 000004
(57)【要約】【課題】自然食品としての、さつま芋に麦芽を乾燥粉末にしたものを加え、さつま芋の澱粉質を糖化し、練り製品を造り、冷凍貯蔵し又乾燥粉末に造り、用途に応じて、菓子やその他の製品の用途に供する為の、さつま芋の糖化物の製造方法を提供する。【解決手段】蒸したさつま芋を砕き、麦芽を乾燥粉末にしたものを加え糖化させ、練り状の糖化物を造り、冷凍又は乾燥物にする事を特徴とする。【特許請求の範囲】
【請求項１】
さつま芋を煮るか蒸して、砕いて、乾燥粉末にした麦芽粉を混合攪拌し、さつま芋の含む澱粉質を糖化させた、練り状のさつま芋の糖化製品の製造方法。
【請求項２】
請求項１で製造した、さつま芋の糖化物を冷凍することを特徴とするさつま芋糖化物の冷凍製品の製造方法。
【請求項３】
請求項１で製造した、さつま芋糖化物を乾燥粉末にすることを特徴とするさつま芋糖化乾燥物の製造方法。
【発明の詳細な説明】
【技術分野】
【０００１】  この発明はさつま芋の澱粉質を麦芽の粉で糖化して練り製品を造り、そのまま、菓子や、その他の二次加工に利用するか、又は、冷凍し、保存したり、乾燥粉末を造ったりする、さつま芋の糖化物の製造方法に関するものである。
【背景技術】
【０００２】  従来さつま芋は、主に澱粉加工や、焼酎、芋飴などに加工されていた。
【発明の開示】
【発明が解決しようとする課題】
【０００３】  これには、次のような欠点があった、さつま芋は澱粉や焼酎、芋飴などに加工すると、粕が出るが粕は食用としては使わず捨てるので繊維、ミネラル、ポリフエノールといったさつま芋の持つ機能を捨てる欠点がある。
本発明は以上のような、欠点を解決し、芋全体を利用した食材に加工して幅広く利用するものである。
【課題を解決する為の手段】
【０００４】  さつま芋は季節的な収穫物であるため一時期だけで加工するには無理があるので、一部を薄い板状に切干乾燥し貯蔵して、生芋の無い時季に利用して、製造の無駄を無くする。
生のさつま芋や、切干乾燥したさつま芋を蒸すか又は煮て、少し温度が下がったところで麦芽の乾燥粉末したものを加え攪拌し、冷まして、さつま芋の糖化練り製品にする。
以上の製造方法からなるさつま芋の糖化甘味源並びに冷凍、乾燥紛末の製造方法である。
【発明の効果】
【０００５】  さつま芋の澱粉質が糖化されているので普通のさつま芋製品より甘く、又植物種子が発芽する時に発生する、有効成分や食機能が麦芽にも有り、さつま芋の糖化製品は食機能の高い食品である。
菓子や、その他の製品に加工する時、砂糖の使用量を減らすことが出きるので、他の芋製品よりカロリーも抑えられ、健康上も良い。
消化が良く繊維も含まれているので、高齢者にも良い食品である。
【発明を実施するための最良の形態】
【０００６】  第一工程、さつま芋を良く水洗いする。
第二工程、良く蒸すか煮る。
切干乾燥した芋は、数時間水に浸してしてから柔らかくなるまで煮る。
第三工程、熱いうちに桶に入れて良く砕く。麦芽粉末を加え良く攪拌する。
第四工程、摂氏７０℃〜７５℃位に温度が下がった時に乾燥して粉末にし粕を取り除いた、麦芽粉を加え攪拌する。
混合比率は、生さつま芋１０ｋｇに麦芽粉２００ｇ〜３００ｇ位を使用する。
第五工程、第四工程で混合したものが、冷えてから練り製品として使用したり、冷凍し貯蔵したり、又は乾燥して粉末製品を造る。
(57)【要約】      （修正有）【課題】いかに犬の意思出（自力）を機力に代えれる  頼れるか。【解決手段】普段から習慣をす刷り込む為のメールかコール音を利用犬の動きに合わす  自動化（体重移動でスイッチ可動式）又はセンサー取付け条件装備工夫活用。【選択図】なし【特許請求の範囲】
【請求項１】
積極的に行い易くなる電動  自動式方法を選べる習慣を作り出し（犬自身の意思を引き出す自立式）
ストレス取り除く  愛犬ダイエット  誘惑運動機
工夫  活用  作成ノウハウ  同用様な  手段  防止
【発明の詳細な説明】
【技術分野】習慣を引き出す  ダイエットメロデイ  コール音（自動オルゴール）
（条件反射）自動スイッチ（重量式）取付け型作成
愛犬散歩運動促進装置
【背景技術】不在がちの為時間的運動規制（不足）  人手不足
代人要請依頼の方法
雨天時の散歩も汚れは避られない
【発明が解決しようとする課題】
室内運動大型化  置場所  手軽な形
人手をわずらわさない為の独自式
ランニングマシーンと乳母車をいかにして犬用にコンパクト合成出来るか
【課題を解決するための手段】
＊折り込む
＊ベルト上を  走る為（路上の水ドロを直接歩く事なく）
＊雨天コール練習（習慣）（刷り込み）
＊留守時  固定して予約コール音誘惑（習慣性）
＊自動スイッチ又  犬の動きに合わす可動式（体重式）
中央スイッチランニング切替え  普段から習慣を養う（他方としては録音名前呼び設備）
【発明を実施するための最良の形態】
【実施例】近所の犬うるさい（運動不足）ストレス
個定  予約  室内散歩  ダイエット  ランニングトレーニング  自己運動を  誘い  促す
【発明の効果】
犬  肥満  ストレス解消
置場所  折り込み  角に片付け
犬カー散歩  雨の日による汚れ軽減
【図面の簡単な説明】
【図１】「ベビー」犬カー散歩時
【図２】（固定）時  室内ランニング  に切替え
【符号の説明】
１  ベルトゴムローラー（歩行部）
２  前車輪  後輪
３  モーター
４  折込み（取り外し）車輪
５  手押部
６  傘立て付け部
７  （タイムスイッチ）他  保治箱  取付け所
８  配線
【図１】
2006325575.tif 000002
【図２】
2006325575.tif 000003
(57)【要約】【課題】    従来の餡は、味は小豆の味で色は赤みがかった小豆色、用途は、おはぎや餅につけて食べるかパン、饅頭、団子の具として利用されており、どちらかといえば脇役であった。【解決手段】    餡をベースに、発芽黒ゴマ、抹茶を入れることによりそれぞれの風味や栄養素がプラスされ体にやさしい無添加のジャム化することで塗って食べることができ、食べ方が無限大に広がった。【特許請求の範囲】
【請求項１】
小豆から作った餡をベースに、それぞれ発芽黒ゴマと抹茶を入れ煮沸してジャム化した餡
【発明の詳細な説明】
【技術分野】
【０００１】本発明は、一般家庭及び食品産業におけるあんの新品種に関する。
【背景技術】
【０００２】現在いろいろな餡があるが、小豆を加工した赤いつぶあん、こしあんのみである。【０００３】使う時は、何時も中身で表に出てこない。アンパン、饅頭、団子など。味は小豆の味のみである。【０００４】現在は健康ブームである。
【発明の開示】
【発明が解決しようとする課題】
【０００５】従来の餡の味は小豆の味だけである。【０００６】本発明は、従来の餡の味を変えると共に、餡のイメージを根本から変え、体にやさしい無添加で、しかも栄養価の高い、食べ方無限大の食品を目的とするものである。
【課題を解決するための手段】
【０００７】そして、本発明は、餡の中に発芽黒ゴマと抹茶を入れ煮沸してジャム化する。【０００８】上記の課題解決手段による作用は次の通りである。餡と発芽黒ゴマや抹茶の量をコントロールすることにより、小豆本来の味と発芽黒ゴマ、抹茶の味、色、香りなど変化をつけることができ、又煮沸することにより均一に混ざり殺菌効果もある。
【発明の効果】
【０００９】本発明の餡は、あんことごま、お茶の融合であり、今までに無い味や色、香りでパンなどにぬって食べる事ができ、ジャム化することにより用途が広がった。
(57)【要約】【課題】園芸、農業において、害虫の被害が多く、今は殺虫剤などの薬剤等により防いできたが、薬剤は人体に害がある為に好ましくない。このため、害虫を寄せ付けないニームの木の成分、ニームの木の粉末、オイル等を含有した多数の支柱を畑等に立てることにより、害虫がニームの成分を嫌い、その畑に寄り付かないニーム含有の支柱を提供する。【解決手段】硬質の合成樹脂、リサイクル用の再生材と害虫の寄り付かないニームの木の粉末、及び抽出したオイルを混ぜた材料で、園芸用、農業用の支柱を製造する。支柱の尖った先端部は、射出成形機で成形し、後端部は押出し機でパイプ状に押出し成形する。尖った先端部と後端部の各種長さのパイプを接着剤又は、熱で接続し長短の支柱を設ける。又、パイプには小穴を無数設けパイプの中にニームの木の葉、枝、種子又はニームケーキを挿入して臭いの成分を高め害虫を寄せ付けないことを特徴とするニーム入り園芸用、農業用支柱。【選択図】図１
2006325564.tif 000002
【特許請求の範囲】
【請求項１】
硬質の合成樹脂の材料にニームの木の粉末及びオイルを含有したニーム入り支柱。
【請求項２】
硬質の合成樹脂の材料に害虫の寄り付かないニームの粉末を先端部、後端部の中空部に挿入する請求項１記載のニーム入り支柱。
【請求項３】
園芸用、農業用、ビニールハウス等全ての支柱に、害虫が寄らないニームの木の粉末、オイルを含有させ、又、パイプの中にニームの木の種子、葉、枝、粉末、ニームケーキ等を挿入した請求項１〜２記載のニーム入り支柱。
【請求項４】
園芸用、農業用として耕す畑、土地に種を蒔く、又は苗を植える範囲内の外側外周部全体に又は内側にニーム入りの支柱を多数立て害虫が寄り付かないようにする請求項１〜３記載のニーム入り支柱。
【請求項５】
ニーム入り支柱を先の尖った先端部と後端部に分割し、先端部は射出成形機で成形し、後端部は押出成形により各種寸法を可能にし、接着剤又は熱接着で接続した請求項１〜４記載のニーム入り支柱。
【発明の詳細な説明】
【技術分野】
【０００１】  本発明は、農業用支柱に害虫が寄り付かないニームの粉末、オイルを含有した支柱に関するものである。
【背景技術】
【０００２】  従来、農業用、園芸用の支柱は、鉄製パイプ、強度のある各種線材又は耐久性がある合成樹脂製の支柱等が使用され畑、土地に差し込んでいる。屈曲、錆び、折れる等の問題が多々ある。又、農業、園芸用等には害虫による作物への被害は多く、薬剤等の散布で解決しているが、この薬剤は少なからず人体に被害があると思われるが、これ以外、現時点では方法が無い状態である。支柱に関しては次の公報がある。例えば登録実用新案２件あり、特許公開等数件は有るが、特許登録されたものは無い。又害虫を寄せつかないニームの粉末・ニームケーキ、オイルの含有したものに関しては見当たらない。
例として、特開平１１−３１８２２６号公報
登録実用新案第３０６３０１４号公報
【発明の開示】
【発明が解決しようとする課題】
【０００３】  それには次のような問題点があった。
（イ）農業、園芸において、作物の害虫被害の問題が多い。
（ロ）害虫被害には薬剤の散布しなければならない。
（ハ）薬剤散布は少なからず人体に害がある。
（ニ）薬剤散布以外方法が無い。
（ホ）無農薬野菜等が叫ばれているが、害虫退治に薬剤散布しては意味が無い。
（ヘ）人体、益虫には害が無く、害虫に作用して、害虫が寄り付かないニームの木を利用した支柱は無い。
本発明は、以上の問題点を解決するためのものである。
【問題を解決するための手段】
【０００４】  害虫が寄り付かない、ニームの木の種、葉、枝等から採るオイル、粉末等と硬質の合成樹脂材料、あるいはリサイクル用再生材を利用した材料を混ぜ射出成形機による成形又は押出機による押出し成形で農業用、園芸用の支柱を製作する。支柱の尖った先端部は射出成形機により成形し、後端部は押出し成形によりパイプ状に製作し、指定された各種長さに切断し、射出成形機で成形された先端が尖った先端部とパイプ状の後端部を接着剤又は熱で接続する。これにより各種長さの農業用、園芸用支柱又は、ビニールハウスの支柱も可能である。
又パイプ状の中空部に小穴を多数あけ、中にニームの木の葉、枝、種子、ニームケーキ等を挿入する事により害虫が寄り付かない成分がパイプの外に放出される。以上を特徴するニーム入り園芸用、農業用支柱である。
【発明の効果】
【０００５】  硬質の合成樹脂材に害虫の寄り付かない硫黄化合物の芳香がするニームの木のオイル、粉末を含有した園芸用、農業用支柱を、畑、土地に多数立てることで害虫が寄り付かない効果があり、有機肥料、殺虫、土の中の害虫等にも効果が期待できる。
【発明を実施するための最良の形態】
【０００６】  以上、本発明の実施の形態を説明する。
（イ）硬質の合成樹脂又はリサイクル用再生樹脂材（１）を設ける。
（ロ）害虫が寄り付かないニームの木の粉末、オイル、（２）を設ける。
（ハ）硬質の合成樹脂とニームの木の粉末、又はオイルを混合して混ぜる。
（ニ）射出成形機で尖った先端部（３）を成形し、押出機でパイプ部（４）を押出し成形する。
（ホ）尖った先端部（３）とパイプ部（４）を接着剤（５）、又は熱で接続し支柱（６）を設ける。
（ヘ）支柱（６）に小さな穴（７）を多数あける。
（ト）支柱の中空部にニーム木の葉、枝、種子、ニームケーキ（９）を挿入する事でより効果が期待できる。
（チ）長い支柱はビニールハウスの支柱（８）としても使用できる。
本発明は、以上のような構成よりなっている。
【図面の簡単な説明】
【０００７】
【図１】支柱の平面図
【図２】支柱の尖った先端部平面図
【図３】支柱のパイプ状の後端部の平面図
【図４】支柱とパイプの接続拡大断面図
【図５】ビニールハウスの支柱例の図面
【符号の説明】
【０００８】１  硬質合成樹脂材又は再生材
２  ニームの木の粉末、オイル
３  尖った先端部
４  パイプ部
５  接着剤
６  支柱
７  小さな小穴
８  ビニールハウスの支柱
９  ニーム木の葉、枝、種子、ニームケーキ
【図１】
2006325564.tif 000003
【図２】
2006325564.tif 000004
【図３】
2006325564.tif 000005
【図４】
2006325564.tif 000006
【図５】
2006325564.tif 000007
(57)【要約】      （修正有）【課題】有害物質を分解し、また、鮮度保持ができる農作物の鮮度保持剤の製造及び使用方法を提供すること。【解決手段】二酸化チタンを溶解した上澄みを希釈して農作物に散布する。【選択図】なし【特許請求の範囲】
二酸化チタンの光触媒による農作物の鮮度保持剤の製造及び使用方法
【発明の詳細な説明】
（２）産業上の利用分野について
現在迄は農作物の鮮度保持剤は主としてエチレン製御剤であった。本発明は二酸化チタンの光触媒によって有害物質を分解し又農作物の鮮度保持が出来るこれはエチレン制御剤よりも安全で効果が最も優れている
（３）二酸化チタンを溶解した上澄みを希釈して農作物に散布する
（４）現在迄の処理方法よりも最も安全で鮮度の良い優れた農作物を安価にて生産する事が出来る
(57)【要約】      （修正有）【課題】真蛸や水蛸などの大型の蛸の頭は知名度、利用度が低かったが、軟らかく食べやすく加工することにより高級食材とスナック菓子のように常食することを可能にする加熱した蛸の頭の食材及びサクサクした蛸の頭の加工食品の提供。【解決手段】茹でた蛸の頭皮を剥いた後、加水せずに蛸自身から湧き出る水分で軟らかくなるまで加熱調理し、さらに頭の表面と内側の膜状の繊維部分を剥ぐことを特徴とする。【効果】従来硬くかみ切りにくかった蛸の頭は、上記の調理だけで軟らかく、しかも濃厚な旨みに仕上がり、菓子、珍味、スナック菓子、パスタやサラダのトッピングや添え物の食材として利用できる。【選択図】図４
2006325565.tif 000002
【特許請求の範囲】
【請求項１】
軟らかく、濃縮した蛸の頭の食材
【請求項２】
サクサクした食感にした蛸の頭の加工食品
【発明の詳細な説明】
【技術分野】
【０００１】本発明は、硬い、及び噛み切りにくいなどの蛸を、頭の部分を利用し、食べやすく調理した食材である。
【背景技術】
【０００２】蛸を茹でた後、頭皮を剥き、蛸から出る水分のみで軟らかくなるまで加熱調理し、更に頭の表面と内面の膜状の強い繊維部分を剥いたことを特徴とする。【０００３】従来より、蛸は足の部分より頭の部分の食べ方の知名度や利用度が低かった。油で焼く、揚げると旨みが増すにもかかわらず、更に硬くゴムのようになる。
大型の真蛸・水蛸の頭を、スナック菓子や定番メニューのように常食されるよう開発したものである。
【発明の開示】
【発明の効果】
【０００４】このように処理したことにより、硬い及び噛み切りにくかった蛸の頭はそのままで軟らかく、しかも濃厚な旨みに仕上がった。
和洋中華などの幅広い料理の食材となり、更に菓子や珍味としても加工できる。
【発明を実施するための最良の形態】
【０００５】膜状のものを剥き終えた後の身は、薄く引き伸ばすことが出来、適当な大きさに切り分けそのまま乾燥、または片栗粉など少量つけて油で焼く、揚げるなどの後に乾燥させる。乾燥せず、水分がなくなるまで揚げるなどの方法。
【実施例】
【実施例１】上記の調理法でスナック菓子、及び珍味としての仕様。
【実施例２】油調乾燥したものを細かく砕いて、ふりかけやお茶づけに、さらに油調して乾燥しないものは、パスタやサラダのトッピングや、添え物に。単品としてもメインの役を果たす。
【実施例３】油調や乾燥しない身の部分はコロッケや包み物、饅頭の具に、ミンチ状にするとハンバーグやつくねにも簡単にすることが出来る。和洋中華主要食材となり、旨みも濃縮されており、調味料も不要である。
【実施例４】食材用には油調・乾燥まえのものは冷凍保存が可能である。
【産業上の利用可能性】以上のように、食品加工製造業、及び厨房の高級食材として多方面での利用可能性が生まれ、新たな旨みと食感を提供する。
【図１】
2006325565.tif 000003
【図２】
2006325565.tif 000004
【図３】
2006325565.tif 000005
【図４】
2006325565.tif 000006
【図５】
2006325565.tif 000007
【図６】
2006325565.tif 000008
【手続補正書】
【提出日】平成17年9月21日(2005.9.21)
【手続補正１】
【補正対象書類名】明細書
【補正対象項目名】全文
【補正方法】変更
【補正の内容】
【発明の詳細な説明】
【技術分野】
【０００１】本発明は、硬い、及び噛み切りにくいなどの蛸を、頭の部分を利用し、食べやすく調理した食材である。
【背景技術】
【０００２】蛸を茹でた後、頭皮を剥き、蛸から出る水分のみで軟らかくなるまで加熱調理し、更に頭の表面と内面の膜状の強い繊維部分を剥いたことを特徴とする。【０００３】従来より、蛸は足の部分より頭の部分の食べ方の知名度や利用度が低かった。油で焼く、揚げると旨みが増すにもかかわらず、更に硬くゴムのようになる。
大型の真蛸・水蛸の頭を、スナック菓子や定番メニューのように常食されるよう開発したものである。
【発明の開示】
【発明の効果】
【０００４】このように処理したことにより、硬い及び噛み切りにくかった蛸の頭はそのままで軟らかく、しかも濃厚な旨みに仕上がった。
和洋中華などの幅広い料理の食材となり、更に菓子や珍味としても加工できる。
【発明を実施するための最良の形態】
【０００５】膜状のものを剥き終えた後の身は、薄く引き伸ばすことが出来、適当な大きさに切り分けそのまま乾燥、または片栗粉など少量つけて油で焼く、揚げるなどの後に乾燥させる。乾燥せず、水分がなくなるまで揚げるなどの方法。
【実施例】
【実施例１】上記の調理法でスナック菓子、及び珍味としての仕様。
【実施例２】油調乾燥したものを細かく砕いて、ふりかけやお茶づけに、さらに油調して乾燥しないものは、パスタやサラダのトッピングや、添え物に。単品としてもメインの役を果たす。
【実施例３】油調や乾燥しない身の部分はコロッケや包み物、饅頭の具に、ミンチ状にするとハンバーグやつくねにも簡単にすることが出来る。和洋中華主要食材となり、旨みも濃縮されており、調味料も不要である。
【実施例４】食材用には油調・乾燥まえのものは冷凍保存が可能である。
【産業上の利用可能性】以上のように、食品加工製造業、及び厨房の高級食材として多方面での利用可能性が生まれ、新たな旨みと食感を提供する。
【図面の簡単な説明】
【０００６】
【図１】作業しやすいよう縦に割る。または頭を裏返しして筋にそって切り分ける。（ロスが少なくきれいに仕上がる。）
【図２】頭の皮を剥く。皮をつけたまま加熱すると仕上がりが赤くなる。頭のイメージとしては白っぽく仕上げたいため。
【図３】皮を剥き、切り分けた頭を加水調味せずそまま圧力鍋で２０分程度加熱する。
【図４】圧力鍋から取り出した頭は、素手で触れるくらい冷めたら、表面を指で引きはがすようにむくと膜状の固い筋が離れる。または包丁の先で端から削ぐように剥くこともできる。剥いた膜状の筋も製品になるのであまり細く剥かない。
【図５】両面膜状の筋を剥き終えた頭は網状でそのまま縦にどんどん伸びる。作品によって伸ばし方の加減ができる。伸ばした頭はすぐに調理すると縮んでしまうが、冷めるまで放置しておくと縮まない。
【図６】細く、幅広く、あるいは三角や四角や丸型に抜くなどさまざまな使途に応じて形成し、温風乾燥、冷風乾燥、油で揚げるなどし、仕上げに適量振り塩をする。茹でた頭自身に塩分が含まれており、また旨みがあるので無添加の作品に仕上がる。
(57)【要約】【課題】従来は、精神予防性無痛分べん呼吸方法表に従い呼吸を練習中と分べん中とでは、出産時のリズムの違いにより効果の問題があり、呼吸法のビデオ鑑賞もあまり期待できないのである。なぜならば、出産時の体験と普段とでは、まったく精神的等違うからである。【解決手段】  本発明のヒッ・ヒッ・フーちゃん装置より、自分にあった精神予防性無痛分べん呼吸方法リズム模範により、練習し出産分べん中は、分べん室にてリズムを聞きながら、分べんすることにより、妊婦及び胎児にかかる負担がすこしでも、やわらぐ。効果は従来にくらべ模範音があるため、学者の証明をまたず考えられる。【選択図】  図２
2006325702.tif 000002
【特許請求の範囲】
【請求項１】
人形を回転さすことにより、精神予防性無痛分娩呼吸方の音の周期を変更する装置である。
【発明の詳細な説明】
【技術分野】
【０００１】
本発明は、精神予防性無痛分娩呼吸方を各個人リズムの効果効率を向上させる装置に関する。
【背景技術】
【０００２】
従来、精神予防性無痛分娩呼吸方は各個人リズムにより呼吸を調える方法と、呼吸図なる、表によりおよそ比例して、静かにただ、ひたすら呼吸するのみである。
【０００３】
以下、図１により従来の精神予防性無痛分娩呼吸方の表について説明する。図において基礎になる呼吸方の一例で、ゆっくりと吐く練習法、ただし、うまくいけば実際の分娩でもこの呼吸法で最後まで過ごす人もいる、３０〜６０秒に６〜１２回行う。（１）子宮収縮の波（２）周期のリズム。
【０００４】
以上に述べた従来の方法では、呼吸法を練習中と分娩中との違いにより効果はあまりない。
【特許文献１】特許出願平７−５０５５９５
【発明の開示】
【発明が解決しようとする課題】
【０００５】
本発明は、このような従来の構造が有していた、一定の周期のリズムを分娩中でもくずさず呼吸するのは、困難である問題であった。
【課題を解決するための手段】
【０００６】
そして、本発明は上記目的を達成するために、メトロノーム同様、精神予防性無痛分娩呼吸方の音（２）周期のリズムを変更でき、かつ（３）繰り返しを一定に設けたものである。
【０００７】
上記第一の課題解決手段による作用は次の通りである。すなわち、呼吸法を練習中及び分娩中でも、模範となる音のリズムのことによる。
【発明の効果】
【０００８】
呼吸法を練習中同様分娩中でも一定でき、産婦のリラックスにより提供でき、小さく持ち運びも簡単で、人形型のためマスコットとしても癒せる。
【発明を実施するための最良の形態】
【０００９】
以下、本発明の実施の形状を図１〜２に基づいて説明する。
【００１０】
図１においては、従来の呼吸法図の一例、（１）子宮収縮の波の図、（２）呼吸の周期リズム、（３）（２）繰り返しを一定に設けた集合。
【００１１】
図２においては、本発明のヒッ・ヒッ・フーちゃん装置概観図で（４）人形を回転することにより、音の（２）呼吸の周期リズム及び、（３）（２）繰り返しを変更でき、持続する、（５）リズムが違う切り替えスイッチであり、各スイッチの形等内容変更する場合がある。
【図面の簡単な説明】
【００１２】
【図１】従来の呼吸法図の一例
【図２】本発明のヒッ・ヒッ・フーちゃん装置の外観図
【符号の説明】
【００１３】
子宮収縮の波の図
呼吸の周期リズム
（２）繰り返しを一定に設けた集合
（４）      人形を回転することにより、音の（２）呼吸の周期リズム及び、（３）（２）繰り返しを変更でき、持続する人形型スイッチ
（５）      リズムが違う切り替えスイッチ
【図１】
2006325702.tif 000003
【図２】
2006325702.tif 000004
(57)【要約】【課題】  茶葉、米類、麦類、薬草、コーヒー豆の農産物から残留農薬を大量、安価、品質、組成を劣化させること無く除去する方法に関する。【解決手段】農産物を過熱水蒸気の雰囲気中、１８０〜２８０℃の温度で加熱乾燥することを特徴とする。上記農産物が茶葉であって、加熱時間が６０〜１８０秒であることを特徴とする。上記農産物が玄米、玄麦であって、加熱時間が２〜４分で４〜６回繰り返し行うことを特徴とする。【特許請求の範囲】
【請求項１】
農産物を過熱水蒸気の雰囲気中、１８０〜２８０℃の温度で加熱乾燥することを特徴とする農産物から農薬を除去する方法。
【請求項２】
上記農産物が茶葉であって、加熱時間が６０〜１８０秒であることを特徴とする請求項１に記載の農産物から農薬を除去する方法。
【請求項３】
上記農産物が玄米、玄麦であって、加熱時間が２〜４分で４〜６回繰り返し行うことを特徴とする請求項１に記載の農産物から農薬を除去する方法。
【発明の詳細な説明】
【技術分野】
【０００１】
本発明は、農産物から農薬を除去する方法に係わり、更に詳しくは、茶葉、米類、麦類、薬草等の農産物から農薬を除去する方法に関するものである。
【背景技術】
【０００２】
茶葉、米類、麦類、薬草、コーヒー豆の農産物は人間の飲食に供されるもので無農薬で栽培されることが望ましいが、現実は農薬が散布されている。
従来茶葉等の農産物から農薬を除去する方法としては、洗浄水の超音波振動で除去する方法（特許文献１）、酸化チタンの触媒を利用して除去する方法（特許文献２）、スフェロゾームを含有する非水溶性農薬除去剤（特許文献３）が開示されているがいずれも除去しきれず農薬が残留する欠点、コスト高、鮮度が落ちる等の欠点がある。
【０００３】
【特許文献１】特開２００４−３２１０２１号公報
【特許文献２】特開２００４−３５７６６８号公報
【特許文献３】特開２００２−３５１５８号公報
【発明の開示】
【発明が解決しようとする課題】
【０００４】
本発明はかかる問題点に鑑みてなされたもので、その目的は、安価、簡単、成分、品質、鮮度を劣化させること無く農薬を完全除去出来る方法を提供せんとするものである。
【課題を解決するための手段】
【０００５】
上記問題点に関して鋭意研究を行った結果、下記の知見を得た。
すなわち茶葉、米類、麦類、薬草、コーヒー豆の農産物を、過熱水蒸気の雰囲気中、
１８０〜２８０℃の温度で加熱乾燥し、茶葉にあっては、加熱時間６０〜１８０秒が好ましいこと、そして玄米、玄麦にあっては、加熱時間２〜４分で４〜６回繰り返し行うことが好ましいことを見出した。
本発明の以上の知見に基づいてなされたもので、下記の構成からなるものである。
１．農産物を過熱水蒸気の雰囲気中、１８０〜２８０℃の温度で加熱乾燥することを特徴とする農産物から農薬を除去する方法。
２．上記農産物が茶葉であって、加熱時間が６０〜１８０秒であることを特徴とする上記１に記載の農産物から農薬を除去する方法。
３．上記農産物が玄米、玄麦であって、加熱時間が２〜４分で４〜６回繰り返し行うことを特徴とする上記１に記載の農産物から農薬を除去する方法。
【発明の効果】
【０００６】
農薬除去率が高い（農薬が残存しない）
鮮度、成分、品質が劣化しない
大量処理が可能である
極めて安価である
【発明を実施するための最良の形態】
【０００７】
茶葉の農薬除去処理
茶葉に対して荒茶の工程で行う。
すなわち茶園で摘んだ茶葉を洗浄した後、温度１８０〜２８０℃の過熱水蒸気の雰囲気に６０〜１８０秒当てると表面に残存する農薬成分が揮散蒸発する。
過熱水蒸気は無酸素状態であるので、茶葉は鮮度、品質、成分が劣化することも無く、農薬成分のみを揮散除去できる。
加熱後の茶葉は粗揉、揉捻、中揉、精揉、乾燥等の処理をして荒茶として、ついで火入れ、篩分け等の仕上げ処理をして製品とする。
加熱温度、時間が上限を越えたとき、鮮度、品質、成分劣化するので好ましくない。
下限未満では農薬の揮散除去が不十分で一部残留するので、下限以上が好ましい。
薬草については、茶葉と同じ条件で処理できる。
【０００８】
米類、麦類、コーヒー豆等については、茶葉と同じく温度１８０〜２８０℃の過熱水蒸気の雰囲気で、加熱時間２〜４分で４〜６回（トータル８〜２４分）繰り返すと表面に残存する農薬成分が揮散蒸発する。
米類、麦類は玄米、玄麦の状態で加熱することが出来る。
加熱温度、時間が上限を越えたとき、鮮度、品質、成分劣化するので好ましくない。
下限未満では農薬の揮散除去が不十分で一部残留するので、下限以上が好ましい。
コーヒー豆等については、米類、麦類と同じ条件で処理できる。
【実施例１】
【０００９】
茶葉の加熱テスト
生茶葉に農薬クロチアニジンの1000倍液に浸漬後、取り出して乾燥してすりつぶして残留農薬量をガスクロマトグラフ法で定量した。
次に、農薬クロチアニジンの1000倍液に浸漬後、取り出して乾燥した生茶葉５００ｇをステンレス製の箱に入れて、内容積５００×５００×５００mmの過熱水蒸気加熱炉に入れて、２５０℃で６０秒加熱後、取り出して冷却した。
取り出した生茶葉をすりつぶして残留農薬量を定量した。
【００１０】
結果
加熱処理前の残留農薬量と加熱後の農薬量を比較すると、加熱前の農薬は過熱水蒸気による加熱で１００％揮散除去できた。
また脱色、香味が消えることも無かった。
カフェイン、タンニン、ビタミンＣの成分変化も認められなかった。
【実施例２】
【００１１】
米の加熱テスト
玄米を農薬アグロスリンの２０００倍液に浸漬後、取り出して乾燥して、すりつぶして粉にして残留農薬量をガスクロマトグラフ法で定量した。
次に、農薬アグロスリンの２０００倍液に浸漬後、取り出して乾燥した玄米５００ｇをステンレス製の箱に入れて、内容積５００×５００×５００mmの過熱水蒸気加熱炉に入れて、２００℃で３分／１回、５回繰り返して加熱した。
冷却後、玄米をすりつぶして粉にして残留農薬量を定量した。
【００１２】
結果
加熱処理前の残留農薬量と加熱後の農薬量を比較すると、加熱前の農薬は過熱水蒸気による加熱によって１００％揮散除去できた。
【産業上の利用可能性】
【００１３】
茶葉、米等の農産物の残留農薬を大量、かつ安価に完全除去処理できるので、農業分野で極めて有用な技術である。
(57)【要約】【課題】化合物半導体薄膜積層ウエハのInP薄膜のエピタキシャル結晶成長させる方法。【解決手段】化合物半導体薄膜積層ウエハのエピタキシャル結晶成長における中間反応を抑制する原料供給工程と、熱分解工程、化学反応工程により、高い電子移動度のInP薄膜を結晶成長させる。【選択図】図１
2006128419.tif 000002
【特許請求の範囲】
【請求項１】
化合物半導体薄膜積層ウエハのエピタキシャル結晶成長における中間反応を抑制する原料供給工程と、熱分解工程、化学反応工程を備え、高い電子移動度のInP薄膜を作製する方法。
【発明の詳細な説明】
【技術分野】
【０００１】
本発明は、超高速電子デバイスとして利用されているヘテロバイポーラトランジスタ(HBT)、へテロ電界効果トランジスタ(HFET)の基盤材料となる化合物半導体薄膜積層ウエハのInP薄膜のエピタキシャル結晶成長方法に関するものである。
【背景技術】
【０００２】
超高速電子デバイスの高速化と高耐圧化の実現には化合物半導体薄膜の高品質化が必要とされる。InPはInGaAsに比べてバンドギャップが高い物性が利用され、HBTのエミッター層とコレクター層、HFETのバリア層に用いられ、デバイス性能として重要な動作速度、耐圧はInP 薄膜の品質に大きく依存している。従来の技術において、InPのエピタキシャル成長はトリメチルインジウム(TMI)とフォスフィン(PH3)、トリエチルインジウム(TEI)とPH3が用いられてきた。
【０００３】
しかし、熱分解温度が高いTMIを用いた場合InP薄膜内に炭素が残存し、TEIはPH3と中間反応により良好なInPを得ることが困難であった。また、PH3は高温でも比較的安定なために、熱分解しにくく、低温での成長時には多量な流量を必要とし、高温での成長ではInP薄膜内からPが抜け出す為に高い圧力が必要であった。
【非特許文献１】Duchemin,J.P. ,Bonnet,M., Beuchet,G., Koelsch,F.著「Organometallic growth of device-quality InP by cracking of In(C2H5)3 and PH3 at low pressure,GaAs and Related Compounds」St Louis,1978,Inst.Phys.Conf.Ser.,No63:10-18,1979
【非特許文献２】Fukui,T., Horikoshi,Y.著「Properties of InP Films Grown by Organometallic VPE Method, Jpn.J.Appl.Phys.」19 : L395-L397, 1980
【発明の開示】
【発明が解決しようとする課題】
【０００４】
一般的な材料であるTMIとPH３を用いたInP薄膜内には成長温度を高温にしても、メチル基に起因した炭素が残存し、これが電子を散乱することにより電子移動度が低下する。一方、熱分解温度が低く炭素の混入を低減できるTEIを用いるとPH3と中間反応するために、これまでの反応炉ではエピタキシャル成長が困難で結晶性が低下してしまう。このため、高い電子移動度のInP薄膜は得られていなかった。
【課題を解決するための手段】
【０００５】
上記の課題を解決するために、本発明ではTEIとPH3 を原料として、中間反応を抑制する原料供給工程用い、効率的な熱分解工程と化学反応工程により少ないPH3供給量で、高い電子移動度のInP 薄膜のエピタキシャル結晶成長を達成している。
【発明の効果】
【０００６】
本発明によるエピタキシャル結晶成長方法を用いれば、高い電子移動度のInP薄膜を得ることができる。
【発明を実施するための最良の形態】
【０００７】
以下に、実施例について図面を参照して説明する。InP薄膜のエピタキシャル結晶成長にはTEIとPH3を用いる。TEIとPH3は中間反応によりadductを形成することをDuchemin,J.P. ,Bonnet,M., Beuchet,G., Koelsch,F.,Inst.Phys.Conf.Ser.,No63:10-18,1979が指摘し、中間反応を抑制するためにPH3を予熱する方法が採られてきた。これまでTEIとPH3を用いた場合の室温での電子移動度はn型キャリア5.5e15cm-3の濃度で4400cm2/V・secがFukui,T., Horikoshi,Y., Jpn.J.Appl.Phys., 19 : L395-L397, 1980に報告されている。そこで、中間反応を抑制して原料供給する方法として図１に示す反応炉を用いた。TEIとPH3を個別に細管内で50℃に予熱し、エピタキシャル結晶成長ウエハの直前15mm程度で混合し即座に熱分解し反応する構造とすることで、中間反応を抑制してInP薄膜を成長する。
材料の供給量TEI:75.17umol/min PH3:5580umol/minを共に22000cc/minの水素キャリアーガスに混合して個別に反応炉に送る。n型ドーパントとしてSi2H6を用い、反応炉温度550℃で30minのエピタキシャル結晶成長により膜厚:214.9nm、室温での電子移動度はn型キャリア濃度2.3e17cm-3の濃度で5198cm2/V・secの高い電子移動度のInP薄膜が得られた。Si2H6の供給量を変えることにより、図２に示すn型キャリア濃度と室温における電子移動度の関係が得られた。また、図２はTMIとPH3を用いたInP薄膜に比較してTEIとPH3を用いたInP薄膜が高い電子移動度であることを示している。
【図面の簡単な説明】
【０００８】
【図１】本発明に用いる結晶成長装置の概略図である。
【図２】InP薄膜エピタキシャル結晶のn型キャリア濃度と電子移動度の関係図である。
【図１】
2006128419.tif 000003
【図２】
2006128419.tif 000004